(57)【要約】【課題】浮上ろ材層の逆洗終了後に浮上ろ材層に対して空気を噴きつけて浮上ろ材を整列させる場合であっても、硫化水素等が気体状態でろ過槽外へと流出するのを抑制することができるろ過システムの運転方法およびろ過システムを提供する。【解決手段】浮上ろ材層と、浮上ろ材の流出を防止するスクリーンと、原水流入口および逆洗排水排出口と、ろ過水貯留部とを備えるろ過槽を有するろ過システムの運転方法であって、原水を浮上ろ材層に上向流で通水させて原水をろ過するろ過工程と、ろ過工程の後、ろ過槽内の水を排出し、浮上ろ材層を下向流で逆流洗浄する逆洗工程と、逆洗工程の後、ろ過槽内に置換水を供給してろ過槽内の水の少なくとも一部を置換する水置換工程と、水置換工程の後、浮上ろ材層に対して気体を噴きつけて浮上ろ材を整列させる浮上ろ材整列工程とを含む、ろ過システムの運転方法である。また、その運転方法の実施に適したろ過システムである。【選択図】図３
2014018735.tif 000002
【特許請求の範囲】
【請求項１】
浮上ろ材からなる浮上ろ材層と、前記浮上ろ材層の上側に配置されて前記浮上ろ材の流出を防止するスクリーンと、前記浮上ろ材層より下側に設置された原水流入口および逆洗排水排出口と、前記スクリーンの上側に設けられたろ過水貯留部とを備えるろ過槽を有するろ過システムの運転方法であって、
前記原水流入口から原水を流入させ、流入させた原水を前記浮上ろ材層に上向流で通水することにより原水をろ過するろ過工程と、
前記ろ過工程の後、前記ろ過槽内の水を前記逆洗排水排出口から排出し、前記浮上ろ材層を下向流で逆流洗浄する逆洗工程と、
前記逆洗工程の後、前記ろ過槽内に置換水を供給して前記ろ過槽内の水の少なくとも一部を置換する水置換工程と、
前記水置換工程の後、前記浮上ろ材層に対して気体を噴きつけて浮上ろ材層を構成する浮上ろ材を整列させる浮上ろ材整列工程と、
を含むことを特徴とする、ろ過システムの運転方法。
【請求項２】
前記水置換工程において、前記ろ過槽内の水の酸化還元電位が所定値以上になるまで、または、前記ろ過槽内の水の溶存酸素量が所定値以上になるまで、前記置換水を前記ろ過槽内に供給することを特徴とする、請求項１に記載のろ過システムの運転方法。
【請求項３】
前記水置換工程において、前記ろ過槽内の水の酸化還元電位が前記置換水の酸化還元電位と等しくなるまで、または、前記ろ過槽内の水の溶存酸素量が前記置換水の溶存酸素量と等しくなるまで、前記置換水を前記ろ過槽内に供給することを特徴とする、請求項１に記載のろ過システムの運転方法。
【請求項４】
浮上ろ材からなる浮上ろ材層と、前記浮上ろ材層の上側に配置されて前記浮上ろ材の流出を防止するスクリーンと、前記浮上ろ材層より下側に設置された原水流入口および逆洗排水排出口と、前記スクリーンの上側に設けられたろ過水貯留部とを備えるろ過槽と、
前記ろ過槽内に置換水を供給する置換水供給機構と、
前記浮上ろ材層に対して気体を噴出し、前記浮上ろ材を整列させる浮上ろ材整列機構と、
前記ろ過槽内の水を前記逆洗排水排出口から排出して前記浮上ろ材層を逆流洗浄した後、前記置換水供給機構および前記浮上ろ材整列機構を順次起動して、前記ろ過槽内の水の少なくとも一部を前記置換水で置換した後に前記浮上ろ材を整列させる制御装置と、
を有することを特徴とする、ろ過システム。
【請求項５】
前記ろ過槽内の水の酸化還元電位または溶存酸素量を測定するセンサを更に備え、
前記制御装置が、前記センサの測定値が所定値以上になるまで前記置換水供給機構を運転させ、前記センサの測定値が所定値以上になった後に前記浮上ろ材整列機構を起動することを特徴とする、請求項４に記載のろ過システム。
【請求項６】
前記ろ過槽内の水の酸化還元電位または溶存酸素量を測定するセンサと、
前記置換水の酸化還元電位または溶存酸素量を測定する置換水センサと、
を更に備え、
前記制御装置が、前記センサの測定値と、前記置換水センサの測定値とが等しくなるまで前記置換水供給機構を運転させ、前記センサの測定値と、前記置換水センサの測定値とが等しくなった後に前記浮上ろ材整列機構を起動することを特徴とする、請求項４に記載のろ過システム。
【発明の詳細な説明】
【技術分野】
【０００１】
本発明は、ろ過システムの運転方法およびろ過システムに関し、特には、浮上ろ材よりなる浮上ろ材層を有し、下水の処理に好適に用いられるろ過システムの運転方法およびろ過システムに関するものである。
【背景技術】
【０００２】
従来、下水等の原水をろ過してろ過水を得るろ過システムとして、発泡高分子製の多数の浮上ろ材よりなる浮上ろ材層と、浮上ろ材層の上側に配置されて浮上ろ材の流出を防止するスクリーンと、浮上ろ材層の下側に配置された原水流入口および逆洗排水排出口と、スクリーンの上側に位置するろ過水貯留部とを備える、上向流式のろ過システムが知られている（例えば、特許文献１参照）。
【０００３】
また、近年では、地面等を掘削して形成した縦穴内に上述した浮上ろ材層、スクリーン、原水流入口、逆洗排水排出口およびろ過水貯留部を配置してろ過システムを形成することにより、合流式下水道の越流水等をオンサイト（その場）で処理可能とすることなども提案されている（例えば、特許文献２参照）。
【０００４】
そして、浮上ろ材を用いた上記従来のろ過システムでは、原水流入口から流入した原水を浮上ろ材層に上向流で通水することにより、夾雑物（例えば、ごみ、異物など）や浮遊性懸濁物質が除去されたろ過水を得ている。また、上記従来のろ過システムでは、ろ過の継続に伴い浮上ろ材層に夾雑物や浮遊性懸濁物質が補足されてろ過抵抗が増加すると、ろ過水貯留部に貯留したろ過水を自然流下させることにより、下向流で浮上ろ材層を逆流洗浄（以下「逆洗」と称することがある。）している。
【０００５】
ここで、上記従来のろ過システムでは、図５（ａ）に逆洗中のろ過システムのろ過槽１内の状態を示すように、浮上ろ材層２を構成する浮上ろ材３を下向流により下方に展開させて浮上ろ材層２を逆洗している。そのため、図５（ｂ）に逆洗終了直後のろ過システムのろ過槽１内の状態を示すように、逆洗終了直後の浮上ろ材層２では、浮上ろ材が均一に整列せずに偏った状態で集合し、その結果、ろ過槽１内で浮上ろ材層２の厚みに分布が生じてしまうことがある。そして、厚みが不均一な浮上ろ材層２で原水をろ過すると、特に浮上ろ材層２の厚みが薄い部分において得られるろ過水の性状が悪化し、ろ過システムのろ過性能が低下する可能性がある。
なお、図５中、符号４は原水流入口を示し、符号５は逆洗排水排出口を示し、符号６はスクリーンを示し、符号７はろ過水貯留部を示し、符号８は後述する空気供給用ノズルを示し、符号９は開閉自在な弁を示す。
【０００６】
そこで、従来のろ過システムでは、浮上ろ材層の下側に空気供給用ノズルを配置し、浮上ろ材層の逆洗終了後であってろ過を再開する前に空気供給用ノズルから空気を供給して、浮上ろ材を整列させている。具体的には、上記従来のろ過システムでは、逆洗終了後、ろ過を再開する前に空気供給用ノズルから浮上ろ材層に対して空気を噴出し、空気の噴出により発生する水流により浮上ろ材を流動させて整列させることにより、浮上ろ材層の厚みを均一化し、浮上ろ材層の不均一な厚みに起因したろ過システムのろ過性能の低下を抑制している。
【先行技術文献】
【特許文献】
【０００７】
【特許文献１】特許第３８５３７３８号公報
【特許文献２】特開２０１０−２２１１９７号公報
【発明の概要】
【発明が解決しようとする課題】
【０００８】
ここで、浮上ろ材層の逆洗が終了した後のろ過槽内に存在する水は、逆洗に使用した水に最初から含まれていた有機物や、逆洗時に浮上ろ材層から排出された有機物などの有機物を含んでいる。また、逆洗終了後の浮上ろ材層にも、逆洗時に除去しきれなかった若干の有機物（夾雑物や浮遊性懸濁物質）が残存している。
【０００９】
そのため、浮上ろ材層等を配置したろ過槽に換気用の開口部が設けられていない場合や、ろ過槽に配設された換気用の開口部の数が少ない場合や、地面を掘削して形成した縦穴内に浮上ろ材層等を配置してろ過システムを構成した場合等には、逆洗終了後、ろ過を再開するまでの間にろ過槽内の水に含まれる有機物が嫌気性微生物により分解され（嫌気的発酵が起こり）、硫化水素（Ｈ２Ｓ）等が発生することがある。なお、硫化水素（Ｈ２Ｓ）等は、逆洗終了後、ろ過を再開するまでの時間が長い場合（例えば、逆洗終了後、ろ過システムの運転を直ぐには再開せずにろ過システムを待機状態にする場合など）に特に発生し易い。
【００１０】
ここで、有機物の分解により発生する硫化水素等は、微量であるため、通常はろ過槽内の水に溶解した状態で存在している。
そのため、上記従来のろ過システムでは、逆洗終了後、ろ過を再開する前に空気供給用ノズルから浮上ろ材層に対して空気を噴きつけて浮上ろ材を整列させると、水中に溶存していた硫化水素などがろ過槽内に供給された空気中に放出され、気体状態でろ過槽外へと流出する可能性がある。そして、硫化水素等が気体状態でろ過槽外へと流出すると、悪臭などの問題が発生する虞がある。また、気体状態の硫化水素等によりろ過槽の内外で腐食が起こる虞もある。
【００１１】
そこで、この発明は、浮上ろ材層の逆洗終了後に浮上ろ材層に対して空気を噴きつけて浮上ろ材を整列させる場合であっても、硫化水素等が気体状態でろ過槽外へと流出したり、気体状態の硫化水素等により腐食が発生したりするのを抑制することができるろ過システムの運転方法およびろ過システムを提供することを目的とする。
【課題を解決するための手段】
【００１２】
この発明は、上記課題を有利に解決することを目的とするものであり、本発明のろ過システムの運転方法は、浮上ろ材からなる浮上ろ材層と、前記浮上ろ材層の上側に配置されて前記浮上ろ材の流出を防止するスクリーンと、前記浮上ろ材層より下側に設置された原水流入口および逆洗排水排出口と、前記スクリーンの上側に設けられたろ過水貯留部とを備えるろ過槽を有するろ過システムの運転方法であって、前記原水流入口から原水を流入させ、流入させた原水を前記浮上ろ材層に上向流で通水することにより原水をろ過するろ過工程と、前記ろ過工程の後、前記ろ過槽内の水を前記逆洗排水排出口から排出し、前記浮上ろ材層を下向流で逆流洗浄する逆洗工程と、前記逆洗工程の後、前記ろ過槽内に置換水を供給して前記ろ過槽内の水の少なくとも一部を置換する水置換工程と、前記水置換工程の後、前記浮上ろ材層に対して気体を噴きつけて浮上ろ材層を構成する浮上ろ材を整列させる浮上ろ材整列工程とを含むことを特徴とする。このように、浮上ろ材整列工程の前に水置換工程を実施すれば、逆洗工程の終了後にろ過槽内の水に含まれる有機物が嫌気性微生物により分解され、硫化水素等が発生している場合でも、硫化水素等を含む水を置換水で置換してから浮上ろ材整列工程を実施することができる。従って、浮上ろ材層の逆洗終了後に浮上ろ材層に対して空気を噴きつけて浮上ろ材を整列させる場合であっても、硫化水素等が気体状態でろ過槽外へと流出したり、気体状態の硫化水素等により腐食が発生したりするのを抑制することができる。
【００１３】
ここで、本発明のろ過システムの運転方法は、前記水置換工程において、前記ろ過槽内の水の酸化還元電位が所定値以上になるまで、または、前記ろ過槽内の水の溶存酸素量が所定値以上になるまで、前記置換水を前記ろ過槽内に供給することが好ましい。このように、ろ過槽内の水の酸化還元電位や溶存酸素量が所定値以上になるまで置換水を供給すれば、嫌気度が高く、酸化還元電位や溶存酸素量が低い水（有機物が嫌気性微生物により分解された水）を水置換工程において十分に置換してから浮上ろ材整列工程を実施することができる。従って、浮上ろ材整列工程において硫化水素等が気体状態でろ過槽外へと流出したり、気体状態の硫化水素等により腐食が発生したりするのを十分に抑制することができる。
【００１４】
更に、本発明のろ過システムの運転方法は、前記水置換工程において、前記ろ過槽内の水の酸化還元電位が前記置換水の酸化還元電位と等しくなるまで、または、前記ろ過槽内の水の溶存酸素量が前記置換水の溶存酸素量と等しくなるまで、前記置換水を前記ろ過槽内に供給することが好ましい。このように、ろ過槽内の水の酸化還元電位や溶存酸素量が置換水の酸化還元電位や溶存酸素量と等しくなるまで置換水を供給すれば、嫌気度が高く、酸化還元電位や溶存酸素量が低い水（有機物が嫌気性微生物により分解された水）を水置換工程において十分に置換してから浮上ろ材整列工程を実施することができる。従って、浮上ろ材整列工程において硫化水素等が気体状態でろ過槽外へと流出したり、気体状態の硫化水素等により腐食が発生したりするのを十分に抑制することができる。
【００１５】
また、この発明は、上記課題を有利に解決することを目的とするものであり、本発明のろ過システムは、浮上ろ材からなる浮上ろ材層と、前記浮上ろ材層の上側に配置されて前記浮上ろ材の流出を防止するスクリーンと、前記浮上ろ材層より下側に設置された原水流入口および逆洗排水排出口と、前記スクリーンの上側に設けられたろ過水貯留部とを備えるろ過槽と、前記ろ過槽内に置換水を供給する置換水供給機構と、前記浮上ろ材層に対して気体を噴出し、前記浮上ろ材を整列させる浮上ろ材整列機構と、前記ろ過槽内の水を前記逆洗排水排出口から排出して前記浮上ろ材層を逆流洗浄した後、前記置換水供給機構および前記浮上ろ材整列機構を順次起動して、前記ろ過槽内の水の少なくとも一部を前記置換水で置換した後に前記浮上ろ材を整列させる制御装置とを有することを特徴とする。このように、制御装置を設け、浮上ろ材層の逆洗後に置換水供給機構と浮上ろ材整列機構とを順次起動させれば、逆洗終了後のろ過槽内の水に含まれる有機物が嫌気性微生物により分解され、硫化水素等が発生している場合でも、硫化水素等を含む水を置換水で置換してから浮上ろ材を整列させることができる。従って、浮上ろ材層の逆洗終了後に浮上ろ材層に対して空気を噴きつけて浮上ろ材を整列させる場合であっても、硫化水素等が気体状態でろ過槽外へと流出したり、気体状態の硫化水素等により腐食が発生したりするのを抑制することができる。
【００１６】
ここで、本発明のろ過システムは、前記ろ過槽内の水の酸化還元電位または溶存酸素量を測定するセンサを更に備え、前記制御装置が、前記センサの測定値が所定値以上になるまで前記置換水供給機構を運転させ、前記センサの測定値が所定値以上になった後に前記浮上ろ材整列機構を起動することが好ましい。ろ過槽内の水の酸化還元電位または溶存酸素量を測定するセンサを設け、制御装置が、ろ過槽内の水の酸化還元電位や溶存酸素量が所定値以上になるまで置換水供給機構を運転させれば、嫌気度が高く、酸化還元電位や溶存酸素量が低い水（有機物が嫌気性微生物により分解された水）を十分に置換してから浮上ろ材整列機構を起動することができる。従って、浮上ろ材整列機構を起動させた際に硫化水素等が気体状態でろ過槽外へと流出したり、気体状態の硫化水素等により腐食が発生したりするのを十分に抑制することができる。
【００１７】
更に、本発明のろ過システムは、前記ろ過槽内の水の酸化還元電位または溶存酸素量を測定するセンサと、前記置換水の酸化還元電位または溶存酸素量を測定する置換水センサとを更に備え、前記制御装置が、前記センサの測定値と、前記置換水センサの測定値とが等しくなるまで前記置換水供給機構を運転させ、前記センサの測定値と、前記置換水センサの測定値とが等しくなった後に前記浮上ろ材整列機構を起動することが好ましい。ろ過槽内の水の酸化還元電位または溶存酸素量を測定するセンサと、置換水の酸化還元電位または溶存酸素量を測定する置換水センサとを設け、制御装置が、センサの測定値と、置換水センサの測定値とが等しくなるまで置換水供給機構を運転させれば、嫌気度が高く、酸化還元電位や溶存酸素量が低い水（有機物が嫌気性微生物により分解された水）を十分に置換してから浮上ろ材整列機構を起動することができる。従って、浮上ろ材整列機構を起動させた際に硫化水素等が気体状態でろ過槽外へと流出したり、気体状態の硫化水素等により腐食が発生したりするのを十分に抑制することができる。
なお、本発明においては、センサと置換水センサとは、同一のパラメータを測定するものとする。即ち、センサが酸化還元電位を測定する場合には、置換水センサも酸化還元電位を測定し、センサが溶存酸素量を測定する場合には、置換水センサも溶存酸素量を測定するものとする。
【発明の効果】
【００１８】
本発明のろ過システムの運転方法およびろ過システムによれば、浮上ろ材層の逆洗終了後に浮上ろ材層に対して空気を噴きつけて浮上ろ材を整列させる場合であっても、硫化水素等が気体状態でろ過槽外へと流出したり、気体状態の硫化水素等により腐食が発生したりするのを抑制することができる。
【図面の簡単な説明】
【００１９】
【図１】本発明に従う代表的なろ過システムの設置位置の一例を示す説明図である。
【図２】本発明に従う代表的なろ過システムの概略構成を説明する説明図である。
【図３】図２に示すろ過システムの要部について逆洗工程、水置換工程および浮上ろ材整列工程を実施している状態を示す説明図であり、（ａ）は、逆洗工程を実施しているろ過システムの状態を示しており、（ｂ）は、水置換工程を実施しているろ過システムの状態を示しており、（ｃ）は、浮上ろ材整列工程を実施しているろ過システムの状態を示している。
【図４】本発明に従うろ過システムの変形例の概略構成を説明する説明図である。
【図５】従来のろ過システムのろ過槽内の状態を示す説明図であり、（ａ）は、浮上ろ材層を逆洗中のろ過槽内の状態を示しており、（ｂ）は、浮上ろ材層の逆洗終了直後のろ過槽内の状態を示している。
【発明を実施するための形態】
【００２０】
以下、本発明の実施の形態を、図面に基づき詳細に説明する。なお、各図において同一の符号を付したものは、同一の構成要素を示すものとする。
ここで、本発明のろ過システムは、特に限定されることなく、下水や、硫黄分および有機物を含む産業排水や、海水の処理等に用いることができる。具体的には、本発明のろ過システムは、図１にろ過システム１００の設置位置の一例を示すように、雨水と汚水とを同一の管路で流す合流式下水道において、合流下水管１１１の近傍に配置して、計画遮集量ｎＱを超えた、下水処理場にて処理しきれない越流水（ｎＱ超過分）をその場（オンサイト）で処理する際に用いることができる。なお、「計画遮集量ｎＱ」とは、下水処理場の処理能力に応じて設計される遮集管の計画遮集量であり、ここで、「ｎ」は都市により異なる数値である。また、「Ｑ」は晴天時時間最大汚水量である。
【００２１】
そして、図１に示す、本発明のろ過システム１００を適用した合流式下水道では、合流下水管１１１に流入する雨水および汚水の量が計画遮集量を超えた場合に、越流水（原水）が合流下水管１１１に設けられた越流部（図示せず）を超えてろ過システム１００へと流入し、処理される。ここで、越流部は、望ましくは既設の雨水吐き１１２の下流側に設けられる。但し、雨水吐き１１２の下流側への設置が困難な場合には、雨水吐き１１２や、雨水吐き１１２の上流側に設けても良い。そして、ろ過システム１００でろ過されて水質が改善した越流水（ろ過水）は、河川１１４等に放流されることとなる。
【００２２】
ここで、図２に示すように、本発明の一例のろ過システム１００は、地面Ｇの下に設置されており、浮上ろ材層１２を有するろ過槽としての第１の縦穴１０と、原水槽としての第２の縦穴２０と、逆洗排水槽としての第３の縦穴３０と、合流下水管１１１と第２の縦穴２０とを接続する原水流路とを具えている。そして、ろ過システム１００は、第１の縦穴１０内に設置した浮上ろ材層１２の逆洗終了後に浮上ろ材層１２に空気を噴きつけて浮上ろ材層１２を構成する浮上ろ材を整列させるに当たり、第１の縦穴１０内に存在する水を置換水としての原水で置換してから浮上ろ材層１２に空気を噴きつけることができるように構成したことを特徴とする。
なお、ろ過システム１００の原水流路には、第２の縦穴２０内への原水の流入を遮断する原水流入遮断機構としての流量調整弁１１５が設けられている。また、第１の縦穴１０、第２の縦穴２０および第３の縦穴３０の地面Ｇへの開口部には、縦穴内への人や物の落下を防止する蓋（図示せず）が配置されている。
【００２３】
第１の縦穴１０は、原水をろ過してろ過水を得るろ過槽として機能するものであり、第１の縦穴１０としては、例えば、地面Ｇを掘削して形成した新設のマンホール等の構造物を利用することができる。そして、図２に示すように、第１の縦穴１０内には、スクリーン１１と、スクリーン１１で支持された複数の浮上ろ材からなる浮上ろ材層１２と、浮上ろ材層１２の下側に設置された原水流入口１３と、浮上ろ材層１２の下側に設置された複数の逆洗排水排出口１４と、スクリーン１１の上側に設けられたろ過水貯留部１５と、スクリーン１１の上側に設けられたろ過水流出口１６とが配置されている。
また、第１の縦穴１０内の浮上ろ材層１２の下側には、後に詳細に説明する浮上ろ材整列機構の一部を構成する空気噴出部５１が配置されている。なお、空気噴出部５１は、原水流入口１３および逆洗排水排出口１４よりも上側に位置している。
更に、第１の縦穴１０のろ過水貯留部１５の上部には、ろ過水の性状を測定する第１センサ８１が配置されている。
【００２４】
ここで、浮上ろ材とは、原水よりも比重の小さい（即ち、原水中で浮く）ろ材である。そして、ろ過システム１００では、浮上ろ材として、特許文献１や特許文献２に記載の発泡高分子製の粒子状の浮上ろ材などの既知の浮上ろ材を用いることができる。
【００２５】
また、浮上ろ材層１２の上側に配置するスクリーン１１としては、浮上ろ材の流出を防止し得るスクリーン、例えばパンチングメタル等を用いることができる。なお、浮上ろ材層１２は、所定の高さまで水を入れた第１の縦穴１０内に多数の浮上ろ材を投入した後、投入した浮上ろ材の上側にスクリーン１１を設置することにより、第１の縦穴１０内に設けることができる。
【００２６】
第１センサ８１としては、第１の縦穴１０内、より詳細にはろ過水貯留部１５内に存在する水の嫌気度を把握することができる既知のセンサ、例えばＤＯ（溶存酸素量）計や、ＯＲＰ（酸化還元電位）計を用いることができる。そして、第１センサ８１の測定値は、制御装置７０へと送られている。
なお、第１センサ８１は、第１の縦穴１０内の水の嫌気度を把握することができれば、第１の縦穴１０内の任意の位置に取り付けることができる。
【００２７】
ここで、浮上ろ材整列機構は、浮上ろ材層１２に対して空気などの気体を噴出し、浮上ろ材層１２を構成する浮上ろ材を整列させるためのものである。そして、このろ過システム１００では、浮上ろ材整列機構は、空気噴出部５１と、空気噴出部５１に空気を供給する空気供給源としてのブロア（図示せず）と、ブロアと空気噴出部５１とを連結する空気供給配管５２と、空気供給配管５２に設けられた空気供給配管弁５３とで構成されている。
従って、ろ過システム１００では、空気供給配管弁５３を開き、ブロア（図示せず）を運転させることにより、空気供給配管５２を介して第１の縦穴１０内へと空気を送出し、浮上ろ材層１２に空気を噴きつけることができる。なお、空気供給配管弁５３の開閉は、制御装置７０で制御することができる。
【００２８】
浮上ろ材整列機構の一部を構成する空気噴出部５１は、浮上ろ材層１２に対して空気を噴きつけることができる位置であれば、任意の位置に設置することができる。具体的には、空気噴出部５１は、使用する浮上ろ材の材質や、ろ過条件や、逆洗条件などに応じて、逆洗終了後の浮上ろ材層１２に対して空気を噴きつけ、浮上ろ材層１２を構成する浮上ろ材を流動させることができる位置に設置することができる。より具体的には、空気噴出部５１は、特に限定されることなく、線速度１０００ｍ／ｄａｙで原水を通水した後の浮上ろ材層１２の下面から下方に例えば０〜１２０ｃｍの場所であって、原水流入口１３よりも上側に設置することができる。
なお、空気噴出部５１は、ボルト等の既知の手段を用いて第１の縦穴１０内に固定することができる。
【００２９】
また、空気噴出部５１は、空気（気体）を噴出させることができれば、任意の形状とすることができる。そして、空気噴出部５１としては、特に限定されることなく、複数の噴出ノズルを設けたパイプを格子状に組み合わせてなる格子状パイプ体を用いることができる。
なお、格子のサイズは、浮上ろ材よりも大きく、且つ、原水のろ過中に原水中の夾雑物により目詰まりが発生しないサイズとすることが好ましい。格子のサイズが浮上ろ材よりも小さい場合、浮上ろ材層１２の逆洗時に浮上ろ材を下方に展開させることができないからである。また、第１の縦穴１０の下部で目詰まりが発生すると、メンテナンスが困難だからである。
【００３０】
第２の縦穴２０は、第１の縦穴１０でろ過される原水を貯留する原水槽として機能するものであり、第２の縦穴２０としては、第１の縦穴１０と同様に、地面Ｇを掘削して形成した新設のマンホール等の構造物を利用することができる。そして、図２に示すように、第２の縦穴２０の下部には、原水ポンプ２１が配置されている。また、第２の縦穴２０の上部は、流量調整弁１１５を有する原水流路を介して合流下水管１１１と連通している。更に、第２の縦穴２０内には、第２の縦穴２０内の水位を測定するための水位計（図示せず）が設置されている。なお、原水ポンプ２１および水位計としては、既知のポンプおよび水位計を適宜選択して用いることができる。
また、第２の縦穴２０の上部には、原水の性状を測定する第２センサ８２が配置されている。
【００３１】
ここで、第２センサ８２としては、第１センサ８１と同種のセンサを用いることができる。即ち、第１センサ８１としてＯＲＰ（酸化還元電位）計を使用した場合には、第２センサ８２としてＯＲＰ（酸化還元電位）計を使用することができ、第１センサ８１としてＤＯ（溶存酸素量）計を使用した場合には、第２センサ８２としてＤＯ（溶存酸素量）計を使用することができる。そして、第２センサ８２の測定値は、制御装置７０へと送られている。
なお、第２センサ８２は、第２の縦穴２０内の原水の性状を測定することができれば、第２の縦穴２０内の任意の位置に取り付けることができる。
【００３２】
そして、このろ過システム１００では、原水ポンプ２１の吸込口は、第２の縦穴２０内に位置している。また、原水ポンプ２１の吐出口は、原水配管４１に接続されており、原水配管４１は、原水ポンプ２１の吐出口と、第１の縦穴１０の原水流入口１３とを接続している。なお、原水配管４１は、原水配管弁４２を有している。
【００３３】
従って、第２の縦穴２０内に原水ポンプ２１を配置したろ過システム１００では、原水配管弁４２を開き、原水ポンプ２１を運転させることにより、原水配管４１を介して第２の縦穴２０内の原水を第１の縦穴１０内へと送出することができる。なお、原水配管弁４２の開閉は、制御装置７０で制御することができる。
【００３４】
また、第３の縦穴３０は、浮上ろ材層１２の逆洗時に第１の縦穴１０の逆洗排水排出口１４から排出される逆洗排水を貯留する逆洗排水槽として機能するものであり、第３の縦穴３０としては、第１の縦穴１０および第２の縦穴２０と同様に、地面Ｇを掘削して形成した新設のマンホール等の構造物を利用することができる。そして、図２に示すように、第３の縦穴３０の下部には、排水ポンプ３１が配置されている。また、第３の縦穴３０内には、第３の縦穴３０内の水位を測定するための水位計（図示せず）が設置されている。なお、排水ポンプ３１および水位計としては、既知のポンプおよび水位計を適宜選択して用いることができる。
【００３５】
ここで、このろ過システム１００では、排水ポンプ３１の吸込口は、第３の縦穴３０内に位置している。また、排水ポンプ３１の吐出口は、排水配管を介して図１に示す遮集管１１３に接続されており、遮集管１１３は、下水処理場まで延在している。なお、排水配管は、原水（越流水）が合流下水管１１１から越流する越流部よりも下流側で合流下水管１１１に接続させてもよい。
【００３６】
また、ろ過システム１００では、第１の縦穴１０の下部に位置する複数の（図２では６つの）逆洗排水排出口１４は、第１の縦穴１０から逆洗排水を排出する集水配管６１に接続されており、集水配管６１は、第３の縦穴３０の下部まで延在している。即ち、集水配管６１は、逆洗排水排出口１４と、第３の縦穴３０とを接続している。なお、集水配管６１は、集水配管弁６２を有している。
【００３７】
従って、集水配管６１を介して第１の縦穴１０と第３の縦穴３０とを連通させたろ過システム１００では、第３の縦穴３０内の水位が第１の縦穴１０内の水位よりも低い場合、集水配管弁６２を開くことにより、集水配管６１を介して第１の縦穴１０内の水を第３の縦穴３０内へと送出することができる。そして、第３の縦穴内に送出された水（逆洗排水）は、排水ポンプ３１を介して遮集管へと送出することができる。なお、集水配管弁６２の開閉は、制御装置で制御することができる。
【００３８】
そして、このろ過システム１００では、以下のようにして、合流下水管１１１から第２の縦穴２０内に流入した越流水（原水）を第１の縦穴１０の浮上ろ材層１２でろ過する。また、このろ過システム１００では、定期的に、或いは、ろ過抵抗が所定値以上に上昇すると、以下のようにして、第１の縦穴１０内の浮上ろ材層１２を逆洗する。そして、浮上ろ材層１２の逆洗が終了した後は、原水のろ過を再開する前に、以下のようにして、第１の縦穴１０内の水の少なくとも一部を置換水で置換し、その後、浮上ろ材層１２に対して気体を噴きつけて浮上ろ材層１２を構成する浮上ろ材を整列させる。
なお、浮上ろ材層１２を逆洗した後は、任意に、ろ過を再開するまでろ過システム１００を待機状態（各ポンプを運転せず、且つ、各弁を閉じた状態）としておいてもよい。因みに、逆洗終了後にろ過システム１００を待機状態にする場合、置換水を用いた置換および浮上ろ材の整列は、ろ過を再開する直前に行うことが好ましい。ろ過を再開する直前に浮上ろ材を整列させれば、空気供給配管内に流入した水を排出してろ過することができるからである。また、浮上ろ材層の下面を洗浄することもできるからである。
【００３９】
＜ろ過工程＞
図２に示すように、ろ過システム１００では、原水配管弁４２を開き、空気供給配管弁５３および集水配管弁６２を閉じた状態で原水ポンプ２１を運転させることにより、合流下水管１１１から原水流路を介して第２の縦穴２０内へと流入した原水を第１の縦穴１０の下部へと送水し、浮上ろ材層１２に原水を上向流で通水して、ろ過水を得る。そして、得られたろ過水は、ろ過水貯留部１５内を上向流で流れた後、ろ過水流出口１６を介して河川等へ放流される。
なお、原水をろ過する場合、第１の縦穴１０内を原水が上向流で流れれば、空気供給配管弁５３および集水配管弁６２を開いた状態としてもよいが、原水を効率的にろ過する観点からは、空気供給配管弁５３および集水配管弁６２を閉じた状態で原水をろ過することが好ましい。
【００４０】
ここで、原水のろ過時に、第２の縦穴２０から原水配管４１および原水流入口１３を介して第１の縦穴１０内へと送られる原水の流量が第２の縦穴２０内に流入する原水の流量よりも大きい場合、即ち、原水ポンプ２１の吐出量が原水の流入量よりも大きい場合には、第２の縦穴２０内の水位ＬＶが、例えば図２に実線で示す位置から二点鎖線で示す位置まで低下する。
【００４１】
そこで、ろ過システム１００では、第２の縦穴２０内の水位の低下により原水ポンプ２１が空運転するのを防止するために、第２の縦穴２０内の水位が所定の位置（例えば図２に二点鎖線で示す位置）まで低下した場合には、原水ポンプ２１の運転を停止し、原水配管弁４２を閉じて、原水のろ過を中止する。そして、第２の縦穴２０内に再び原水が貯留され、第２の縦穴２０内の水位が上昇すると、原水配管弁４２を開き、原水ポンプ２１の運転を再開して、原水のろ過を再開する。
【００４２】
＜逆洗工程＞
また、図３（ａ）に示すように、ろ過システム１００では、定期的に、或いは、ろ過抵抗が所定値以上に上昇すると、原水配管弁４２を閉じて原水ポンプ２１を停止させ、少なくとも集水配管弁６２を開いた状態で排水ポンプ３１を運転させることにより、浮上ろ材層１２を逆洗する。具体的には、集水配管６１を介して第１の縦穴１０内の水を第３の縦穴３０の下部へと排出し、ろ過水貯留部１５に貯留されたろ過水を浮上ろ材層１２に下向流で通水して、浮上ろ材層１２を構成する多数の浮上ろ材１２Ａを下方に展開させる。そして、浮上ろ材層１２に補足されていた夾雑物や浮遊性懸濁物質を浮上ろ材層１２から排出させ、浮上ろ材層１２を逆洗する。また、第１の縦穴１０内から第３の縦穴３０内へと流入した水（浮上ろ材層１２に補足されていた夾雑物や浮遊性懸濁物質を含む逆洗排水）を、排水ポンプ３１を介して第３の縦穴３０内から遮集管１１３へと送出する。そのため、第１の縦穴１０内の水位は、例えば、図３（ａ）に二点鎖線で示す位置から実線で示す位置まで低下し、第３の縦穴３０内の水位は、例えば、図３（ａ）に二点鎖線で示す位置から実線で示す位置まで上昇する。
なお、図３では、簡略化のため、一部の構成（例えば、各ポンプや各弁の動作を制御する制御装置７０や、第１センサ８１および第２センサ８２）の図示を省略している。
【００４３】
ここで、ろ過システム１００では、第３の縦穴３０内の水位の低下により排水ポンプ３１が空運転するのを防止するために、第３の縦穴３０内の水位が所定の位置（例えば図３（ａ）に二点鎖線で示す位置）まで低下した場合には、第３の縦穴３０内の水位が上昇するまで排水ポンプ３１の運転を停止する。
【００４４】
また、ろ過システム１００において、第１の縦穴１０内の水を第３の縦穴３０内へと高流速で自然流下させる場合、第３の縦穴３０内の水位は、逆洗を開始する際の第１の縦穴１０内の水位（通常は、ろ過水流出口１６が設けられている位置）よりも下側にある必要がある。そこで、このろ過システム１００では、第３の縦穴３０内に設置した水位計で測定した第３の縦穴３０内の水位が第１の縦穴１０内の水位以下の場合にのみ浮上ろ材層１２の逆洗を開始するように、制御装置７０で、原水配管弁４２、空気供給配管弁５３および集水配管弁６２の開閉を制御する。具体的には、第３の縦穴３０内の水位が第１の縦穴１０内の水位よりも下側に位置する場合にのみ、制御装置が、原水配管弁４２および空気供給配管弁５３を閉じ、集水配管弁６２を開くことを許容する。
【００４５】
ここで、ろ過工程では浮上ろ材層１２に原水が上向流で通水されているため、浮上ろ材層１２を構成する浮上ろ材は、逆洗工程の開始時にはスクリーン１１側に向かって圧密された状態にある。従って、浮上ろ材層１２の逆洗開始時には、浮上ろ材は塊状のまま下方へ展開する。
【００４６】
そこで、特に限定されることなく、逆洗工程では、逆洗開始直後に、浮上ろ材１２Ａに対して空気噴出部５１から空気を噴きつけることにより、塊状の浮上ろ材を分散させ、浮上ろ材層１２の洗浄効率を向上させてもよい。具体的には、逆洗工程では、逆洗開始直後、所定の時間だけ、空気供給配管弁５３を開き、ブロアを運転させることにより、空気噴出部５１から上方に向けて空気を噴出させ、浮上ろ材を分散させてもよい。
【００４７】
なお、ろ過システム１００では、水道水や、中水や、工水を第１の縦穴１０の上部に供給する手段を設けて、水道水や、中水や、工水を用いて浮上ろ材層１２の逆洗を行うようにしても良い。具体的には、ろ過システム１００では、下記（１）〜（３）のようにして、ろ過水貯留部１５に貯留したろ過水と、水道水とを使用して浮上ろ材層１２を逆洗してもよい。
（１）まず、上述したようにして、ろ過水貯留部１５に貯留したろ過水を浮上ろ材層１２に下向流で通水し、浮上ろ材層１２を逆洗した後、集水配管弁６２を閉じる。
（２）次に、ろ過水貯留部１５に水道水を供給し、ろ過水貯留部１５内を水道水で満たす。
（３）最後に、集水配管弁６２を開いた状態で排水ポンプ３１を運転させることにより、ろ過水貯留部１５に貯留された水道水を浮上ろ材層１２に下向流で通水して、浮上ろ材層１２を逆洗する。なお、浮上ろ材層１２に通水させた水道水は、集水配管６１を介して第３の縦穴３０の下部へと排出した後、逆洗ポンプ３１を用いて遮集管へと送出する。
【００４８】
＜待機工程＞
そして、ろ過システム１００では、逆洗工程が終了すると、任意に、原水配管弁４２、空気供給配管弁５３および集水配管弁６２を閉じ、原水ポンプ２１、排水ポンプ３１およびブロア（図示せず）の運転を停止した状態として、ろ過システム１００の運転を停止する。
なお、この待機工程は、逆洗工程の終了後に、第１の縦穴１０内への原水の流入が無い場合や、第１の縦穴１０内への原水の流入量が少ない場合に実施する。
【００４９】
ここで、ろ過システム１００では、逆洗工程において、浮上ろ材層１２を構成する浮上ろ材１２Ａを下向流により下方に展開させて浮上ろ材層１２を逆洗している。そのため、図３（ｂ）に示すように、逆洗終了直後の浮上ろ材層１２では、浮上ろ材が均一に整列せずに偏った状態で集合し、その結果、浮上ろ材層１２の厚みに分布が生じてしまうことがある。そして、浮上ろ材層１２の厚みが不均一な状態で原水のろ過を再開すると、特に浮上ろ材層１２の厚みが薄い部分において得られるろ過水の性状が悪化し、ろ過システムのろ過性能が低下する可能性がある。
【００５０】
一方、第１の縦穴１０は、地面Ｇを掘削して形成されており、また、第１の縦穴１０の開口部には蓋が配置されているため、逆洗工程の終了後、第１の縦穴１０内に滞留している水に含まれている有機物は、嫌気性微生物により分解される。そして、有機物の分解により発生した硫化水素等は、第１の縦穴１０内に滞留している滞留水中に溶解する。そのため、ろ過システム１００では、ろ過の再開前に、浮上ろ材を流動させて浮上ろ材層１２の厚みを均一化させるために空気噴出部５１から上方に向けて空気を噴出させると、滞留水に溶存していた硫化水素等が空気中に放出され、第１の縦穴１０の外部へと流出する。
そこで、ろ過システム１００では、後述する水置換工程および浮上ろ材整列工程を順次実施した後に、ろ過を再開する。
【００５１】
＜水置換工程＞
水置換工程では、図３（ｂ）に示すように、原水配管弁４２を開き、空気供給配管弁５３および集水配管弁６２を閉じた状態で原水ポンプ２１を運転させることにより、置換水としての原水を第１の縦穴１０の下部へと送水し、置換水としての原水を上向流で通水して、第１の縦穴１０内の滞留水の少なくとも一部を原水で置換する。ここで、水置換工程では、原水を用いて滞留水を置換する際に原水が浮上ろ材層１２を通過して得られたろ過水により、例えば、逆洗工程の終了時に二点鎖線の位置にあった水位が、実線で示す位置まで上昇する。そして、得られたろ過水は、ろ過水貯留部１５内を上向流で流れた後、ろ過水流出口１６を介して河川等へ放流される。
即ち、この水置換工程では、第２の縦穴２０、原水ポンプ２１、原水配管４１および原水配管弁４２が、第１の縦穴１０内に置換水を供給する置換水供給機構として機能する。
なお、原水を用いて第１の縦穴１０内の滞留水を置換する場合、第１の縦穴１０内を原水が上向流で流れれば、集水配管弁６２を開いた状態としてもよいが、滞留水を効率的に置換する観点からは、集水配管弁６２を閉じた状態で原水を供給することが好ましい。
【００５２】
ここで、水置換工程では、浮上ろ材整列工程において浮上ろ材層１２に空気を噴きつけた際に硫化水素等が放出されるのを確実に防止する観点から、硫化水素等が溶存している滞留水の全てを原水で置換することが好ましい。
【００５３】
そこで、このろ過システム１００では、第１センサ８１の測定値と、置換水センサとしての第２センサ８２の測定値とが等しくなるまで第１の縦穴１０内に原水を供給し、第１センサ８１の測定値と第２センサ８２の測定値とが等しくなると、制御装置が原水ポンプ２１の運転を停止し、原水配管弁４２を閉じる。即ち、ろ過システム１００の水置換工程では、第１の縦穴１０内の水の酸化還元電位が置換水としての原水の酸化還元電位と等しくなるまで、または、第１の縦穴１０内の水の溶存酸素量が置換水としての原水の溶存酸素量と等しくなるまで、原水を第１の縦穴１０内に供給し、滞留水の全てを原水で置換する。なお、制御装置は、原水ポンプ２１の運転を停止し、原水配管弁４２を閉じた後、空気供給配管弁５３を開いてブロア（図示せず）を運転させることにより、浮上ろ材整列工程の実施を可能にする。
【００５４】
因みに、ろ過システム１００の水置換工程では、第１センサ８１および第２センサ８２を使用することなく、第１の縦穴１０の容量（＝第１の縦穴１０のうち、ろ過水流出口１６を通る水平面よりも下側にある部分の体積）と等しい量の原水を第１の縦穴１０内に供給した時点で自動的に原水の供給を停止するようにしてもよい。
【００５５】
また、一般に、酸化還元電位や溶存酸素量は水の嫌気度を示す指標になり、また、有機物が嫌気性微生物により分解された水は嫌気度が高く、酸化還元電位や溶存酸素量が低い。一方、有機物が嫌気性微生物により分解された水よりも嫌気度が低い原水は、酸化還元電位や溶存酸素量が高い。そのため、第１の縦穴１０内の水の酸化還元電位や溶存酸素量の変化を測定すれば、第１の縦穴１０内の水の置換度合いを把握することができる。
そこで、ろ過システム１００の水置換工程では、第１センサ８１で測定した第１の縦穴１０内の水の酸化還元電位が所定値以上になるまで、または、第１の縦穴１０内の水の溶存酸素量が所定値以上になるまで、原水を第１の縦穴１０内に供給するようにしてもよい。即ち、ろ過システム１００では、制御装置が、第１センサ８１で測定した第１の縦穴１０内の水の酸化還元電位または溶存酸素量が所定値以上となると、原水ポンプ２１の運転を停止し、原水配管弁４２を閉じて水置換工程を終了させるようにしてもよい。なお、所定値とは、溶存酸素量の場合には、例えば０ｍｇ／Ｌ超、好ましくは２.０ｍｇ／Ｌ以上とすることができる。
因みに、嫌気性微生物による硫化水素の発生は、溶存酸素量と特に関係が深い（溶存酸素の存在下では嫌気的発酵が起こらず、硫化水素は発生しない）ので、第１センサ８１および第２センサ８２としては、ＤＯ計を使用することが好ましい。ＤＯ計を使用すれば、置換の終了を確実に把握することができるからである。
【００５６】
＜浮上ろ材整列工程＞
水置換工程の後に実施する浮上ろ材整列工程では、図３（ｃ）に示すように、制御装置が、水置換工程の終了直後に、空気供給配管弁５３を開き、原水配管弁４２および集水配管弁６２を閉じた状態でブロア（図示せず）を運転させることにより、空気供給配管５２および空気噴出部５１を介して第１の縦穴１０内に空気５４を供給する。そして、偏って集合した浮上ろ材よりなる浮上ろ材層１２に対して空気（気泡）５４を噴きつけ、浮上ろ材層１２を構成する浮上ろ材を整列させる。具体的には、空気の噴出により第１の縦穴１０内に水流を発生させ、その水流により浮上ろ材を流動させることにより、浮上ろ材を整列させる。
【００５７】
なお、空気は、連続的に供給しても良いし、断続的（パルス的）に供給してもよい。また、空気を供給する時間は、浮上ろ材を整列させることができれば、任意の時間とすることができ、例えば、２〜１０秒とすることができる。
また、浮上ろ材整列工程では、原水配管弁４２を開き、原水ポンプ２１を運転した状態のままで浮上ろ材層１２に対して空気を噴きつけてもよい。即ち、浮上ろ材整列工程では、浮上ろ材層１２に原水を通水しながら、浮上ろ材を整列させてもよい。
【００５８】
そして、このろ過システム１００では、浮上ろ材整列工程の実施後に再びろ過工程を実施し、厚みが均一な浮上ろ材層１２を用いて原水をろ過する。その後、任意に、逆洗工程、待機工程、水置換工程、浮上ろ材整列工程、ろ過工程を順次繰り返して行う。
【００５９】
ここで、このろ過システム１００では、上述したように、逆洗工程の実施後、ろ過工程を再開する前に、水置換工程および浮上ろ材整列工程を順次実施しているので、例えば待機工程を実施した場合のように、逆洗工程の終了後に第１の縦穴１０内の水に含まれる有機物が嫌気性微生物により分解され、硫化水素等が発生している場合でも、硫化水素等を含む水を原水で置換してから浮上ろ材整列工程を実施することができる。従って、浮上ろ材層１２の逆洗終了後に浮上ろ材層１２に対して空気を噴きつけて浮上ろ材を整列させる場合であっても、硫化水素等が気体状態で第１の縦穴１０外へと流出したり、気体状態の硫化水素等により腐食が発生したりするのを抑制することができる。
なお、原水を用いて第１の縦穴１０内の水を置換する際の原水の流量は、浮上ろ材整列工程において供給する空気の流量よりも少なく（即ち、線速度が遅く）、水置換工程では、水の押し出し流れにより硫化水素等を含む水が第１の縦穴１０外へと排出されるので、水置換工程においては、気体状態の硫化水素等は殆ど発生しない。
【００６０】
また、このろ過システム１００では、第１センサ８１、第２センサ８２および制御装置７０を用いて、水置換工程の終了および浮上ろ材整列工程の開始のタイミングを制御しているので、第１の縦穴１０内の滞留水を原水で確実に置換することができる。従って、浮上ろ材整列工程において硫化水素等が気体状態で第１の縦穴１０外へと流出したり、気体状態の硫化水素等により腐食が発生したりするのを十分に抑制することができる。
【００６１】
更に、このろ過システム１００では、逆洗時に、集水配管６１を介して第１の縦穴１０内の水を第３の縦穴３０の下部へと送水し、第１の縦穴１０内から第３の縦穴３０内へと流入した水を、排水ポンプ３１を介して第３の縦穴３０内から遮集管１１３へと送出している。従って、ろ過システム１００では、吐出量の大きいポンプを使用して第１の縦穴１０内の水を引き抜かなくても、第１の縦穴１０内の水位と第３の縦穴３０内の水位との差（水頭差）を利用して第１の縦穴１０内の水を第３の縦穴３０内へと高流速で流入させることができる。よって、ろ過システム１００によれば、浮上ろ材層１２を高流速で効率的に逆洗することができる。
【００６２】
以上、一例を用いて本発明のろ過システムおよびろ過システムの運転方法について説明したが、本発明のろ過システムおよびろ過システムの運転方法は、上記一例に限定されることはなく、本発明のろ過システムおよびろ過システムの運転方法には、適宜変更を加えることができる。
【００６３】
具体的には、上記一例のろ過システム１００では、地面Ｇを掘削して形成した縦穴を用いたが、本発明のろ過システムは、図４に示すように、地上に設置したろ過槽９０等を用いて構成しても良い。なお、ろ過槽９０の上部は、僅かな開口部を有するコンクリート壁（図示せず）で塞がれている。
【００６４】
ここで、図４に示すろ過システム２００は、第１の縦穴１０ではなく、地上に配置した水槽をろ過槽９０として用いている点、原水ポンプ２１が地上に設置されている点、地上に配置した原水槽（図示せず）から原水が供給される点、逆洗排水が、地上に配置した逆洗排水槽（図示せず）へと水頭差を利用して排出される点、並びに、置換水供給機構として、置換水槽（図示せず）、置換水ポンプ２２、置換水配管４３および置換水配管弁４４を有している点において、先の一例のろ過システム１００と構成が異なっている。
なお、置換水としては、硫化水素等を実質的に含まない水（例えば、曝気した際に気体状態の硫化水素等が発生しない水）を使用することができる。具体的には、置換水としては、水道水、中水、工水等を使用することができる。
【００６５】
そして、このろ過システム２００では、原水配管弁４２を開き、置換水配管弁４４、空気供給配管弁５３および集水配管弁６２を閉じた状態で原水ポンプ２１を運転させることにより、原水槽（図示せず）から原水を第１の縦穴１０の下部へと送水し、浮上ろ材層１２に原水を上向流で通水して、ろ過水を得る。
【００６６】
また、このろ過システム２００では、原水配管弁４２および置換水配管弁４４を閉じ、集水配管弁６２を開くことにより、浮上ろ材層１２を逆洗する。なお、浮上ろ材層１２の逆洗開始時には、空気供給配管弁５３を開き、ブロア（図示せず）を運転させることにより、空気噴出部５１から空気を噴出させ、塊状の浮上ろ材を分散させてもよい。
【００６７】
更に、このろ過システム２００では、浮上ろ材層１２の逆洗終了後に、置換水配管弁４４を開き、原水配管弁４２、空気供給配管弁５３および集水配管弁６２を閉じた状態で置換水ポンプ２２を運転させることにより、ろ過槽９０内の水を置換水で置換する。なお、置換水は、ろ過槽９０の容量以上の量を供給する。
【００６８】
そして、このろ過システム２００では、ろ過槽９０内の水の置換終了後に、空気供給配管弁５３を開き、原水配管弁４２、置換水配管弁４４および集水配管弁６２を閉じた状態でブロア（図示せず）を運転させることにより、浮上ろ材層１２を構成する浮上ろ材を整列させ、浮上ろ材層１２の厚みを均一化する。
【００６９】
そして、このろ過システム２００によれば、先の一例のろ過システム１００と同様に、浮上ろ材層１２の逆洗終了後に浮上ろ材層１２に対して空気を噴きつけて浮上ろ材を整列させる場合であっても、硫化水素等が気体状態でろ過槽９０外へと流出したり、気体状態の硫化水素等により腐食が発生したりするのを抑制することができる。
【産業上の利用可能性】
【００７０】
本発明によれば、浮上ろ材層の逆洗終了後に浮上ろ材層に対して空気を噴きつけて浮上ろ材を整列させる場合であっても、硫化水素等が気体状態でろ過槽外へと流出したり、気体状態の硫化水素等により腐食が発生したりするのを抑制することができる。
【符号の説明】
【００７１】
１  ろ過槽
２  浮上ろ材層
３  浮上ろ材
４  原水流入口
５  逆洗排水排出口
６  スクリーン
７  ろ過水貯留部
８  空気供給用ノズル
９  弁
１０  第１の縦穴
１１  スクリーン
１２  浮上ろ材層
１３  原水流入口
１４  逆洗排水排出口
１５  ろ過水貯留部
１６  ろ過水流出口
２０  第２の縦穴
２１  原水ポンプ
２２  置換水ポンプ
３０  第３の縦穴
３１  排水ポンプ
４１  原水配管
４２  原水配管弁
４３  置換水配管
４４  置換水配管弁
５１  空気噴出部
５２  空気供給配管
５３  空気供給配管弁
５４  気泡
６１  集水配管
６２  集水配管弁
７０  制御装置
８１  第１センサ（センサ）
８２  第２センサ（置換水センサ）
９０  ろ過槽
１００  ろ過システム
１１１  合流下水管
１１２  雨水吐き
１１３  遮集管
１１４  河川
１１５  流量調整弁
２００  ろ過システム
【図１】
2014018735.tif 000003
【図２】
2014018735.tif 000004
【図３】
2014018735.tif 000005
【図４】
2014018735.tif 000006
【図５】
2014018735.tif 000007